(57)【要約】【課題】清浄な状態で容器に収容された被包装物を、清浄な状態で容器から取り出すことが可能な密閉容器、および清浄な状態での当該被包装物の容器からの取り出しに便利な密閉容器セット、を提供する。【解決手段】密閉容器２００は、Ｘ方向に配列する八つの開口部２１１を有する複室容器２１０と、全ての開口部２１１を塞ぐ一枚のフィルム２２０とを有する。八つの容器には、いずれもチップ２３０が収容されている。フィルム２２０は、Ｘ方向における両端部の自由端である第１タブ２２２と、各開口部２１１に対応するＹ方向における一端部の自由端である第２タブ２２３と、開口部２１１間に位置する破断線２２４とを有する。密閉容器２００を支持枠３００に係止させることによって、密閉容器セット１００が構成される。【選択図】図３
2015098342.tif 000002
【特許請求の範囲】
【請求項１】
開口部を有する容器の複数が、前記開口部が第１の方向に一列に配列するように並べられて構成された複室容器と、前記複室容器に接着して前記複室容器の全ての前記開口部を密閉する一枚のフィルムと、を有する密閉容器であって、
前記フィルムは、
前記複室容器の端の前記開口部よりも前記第１の方向のさらに外側に延出する第１の自由端と、
前記開口部のそれぞれよりも前記第１の方向を横切る第２の方向のさらに外側に延出する複数の第２の自由端と、
前記第１の方向における隣り合う前記開口部間に配置され、前記第１の方向を横切る第３の方向に沿って前記フィルムを破断するための破断線と、
を有する、
密閉容器。
【請求項２】
前記複室容器は、隣り合う前記容器を連結する破断可能な薄肉部をさらに有する、請求項１に記載の密閉容器。
【請求項３】
前記フィルムは、前記複室容器における前記開口部側の端面、および、前記容器の内周壁における前記開口部側の端部、に接着して前記開口部を密閉している、請求項１または２に記載の密閉容器。
【請求項４】
前記複室容器は、前記開口部を囲む突条をさらに有し、
前記フィルムは、前記複室容器における前記開口部側の端面、および、前記突条の表面、に接着して前記開口部を密閉している、請求項１〜３のいずれか一項に記載の密閉容器。
【請求項５】
前記破断線は、前記第３の方向に沿って形成された、前記フィルムを貫通するスリットと、前記第３の方向において前記スリットに隣接する非貫通部と、を含む、請求項１または２に記載の密閉容器。
【請求項６】
前記破断線における前記第２の自由端側の端は、前記スリットで構成されている、請求項５に記載の密閉容器。
【請求項７】
前記第２の方向は、前記第３の方向と同じ方向である、請求項１〜６のいずれか一項に記載の密閉容器。
【請求項８】
前記第２の方向は、前記第３の方向と異なる方向である、請求項１〜６のいずれか一項に記載の密閉容器。
【請求項９】
前記第２の方向は、前記第１の方向に対して斜めである、請求項１〜８のいずれか一項に記載の密閉容器。
【請求項１０】
前記容器は、被包装物を収容している、請求項１〜９のいずれか一項に記載の密閉容器。
【請求項１１】
前記複室容器は、前記複室容器の両端に配置された、前記密閉容器を支持するための支持枠に係止するための係止部をさらに有する、請求項１〜１０のいずれか一項に記載の密閉容器。
【請求項１２】
請求項１１に記載の密閉容器と、前記支持枠と、を含む、密閉容器セット。
【発明の詳細な説明】
【技術分野】
【０００１】
本発明は、清浄な状態で収容された被包装物を清浄な状態で取り出すのに好適な密閉容器および密閉容器セットに関する。
【背景技術】
【０００２】
医薬に係る検査、診断および治療では、使用器具および医薬品が汚染されていないことが重要である。たとえば、当該検査で使用されるマイクロピペット用のチップは、内毒素（エンドトキシン）などによる汚染を防止するために、汚染されていない清浄な状態（例えば、エンドトキシンフリーな状態）で、フィルムで密閉された容器に個別に収容されている。当該チップは、使用時に、当該フィルムを破り取ることで、取り出される。
【０００３】
フィルムで密閉されている容器としては、例えば、図１Ａおよび図１Ｂに示される密閉容器が知られている。密閉容器１０は、凹部１１およびその開口部の周囲に形成されたつば部１２を有する容器と、つば部１２に密着して凹部１１の開口部を密閉するフィルム１４と、を有する。フィルム１４は、つば部１２上に、切り込みによって形成された摘まみ１５を有する。摘まみ１５は、凹部１１側を除く三方が切り取られて形成されており、つば部１２に密着されていない。よって、摘まみ１５を凹部１１に向けて引っ張ることによって、図１Ｂに示されるように、凹部１１上までフィルム１４が破り取られる。こうして、凹部１１が開放され、凹部１１内に収容されていた被包装物が取り出される（例えば、特許文献１参照）。
【先行技術文献】
【特許文献】
【０００４】
【特許文献１】特開２００５−０１５００２号公報
【発明の概要】
【発明が解決しようとする課題】
【０００５】
密閉容器１０を上記チップの容器に適用した場合、上記チップの取り出しは、例えば、フィルム１４の裂け目からマイクロピペットの本体（ピペッタ）の先端部を凹部１１内に挿入し、凹部１１内でピペッタの先端にチップを装着し、ピペッタを凹部１１から引き抜くことによって行われる。しかしながら、密閉容器１０では、摘まみ１５の幅が凹部１１の幅よりも狭いため、フィルム１４の破り取られた部分の幅は、凹部１１の幅よりも狭い。また、凹部１１の内部およびフィルム１４の内面は、通常、清浄な状態に維持されるが、フィルム１４の外面は、汚染される場合がある。
【０００６】
このため、密閉容器１０の内部がエンドトキシンフリーに保たれていたとしても、マイクロピペットを凹部１１から引き抜いたときに上記チップがフィルム１４の外面に接触することによって、当該チップがエンドトキシンに汚染されることがある。また、フィルム１４が凹部１１の開口部上で破り取られる際、フィルム１４の外面に付着している汚染原が密閉容器１０の内部に入り込み、チップを汚染する虞がある。
【０００７】
本発明は、清浄な状態で容器に収容された被包装物を、清浄な状態で容器から取り出すことが可能な密閉容器を提供することを第１の課題とする。
【０００８】
また、本発明は、清浄な状態での当該被包装物の容器からの取り出しに便利な密閉容器セットを提供することを第２の課題とする。
【課題を解決するための手段】
【０００９】
本発明は、開口部を有する容器の複数が、前記開口部が第１の方向に一列に配列するように並べられて構成された複室容器と、前記複室容器に接着して前記複室容器の全ての前記開口部を密閉する一枚のフィルムと、を有する密閉容器であって、前記フィルムは、前記複室容器の端の前記開口部よりも前記第１の方向のさらに外側に延出する第１の自由端と、前記開口部のそれぞれよりも前記第１の方向を横切る第２の方向のさらに外側に延出する複数の第２の自由端と、前記第１の方向における隣り合う前記開口部間に配置され、前記第１の方向を横切る第３の方向に沿って前記フィルムを破断するための破断線と、を有する、密閉容器を提供する。
【００１０】
また、本発明は、前記密閉容器と、前記複室容器の両端に配置された、前記密閉容器を支持するための支持枠と、を含む、密閉容器セット、を提供する。
【発明の効果】
【００１１】
本発明に係る密閉容器では、上記フィルムを剥がす向きに応じて、複数の上記開口部のそれぞれまたは全部を完全に開放することが可能である。よって、本発明によれば、清浄な状態で容器に収容された被包装物を清浄な状態で容器から取り出すことが可能となる。また、本発明に係る密閉容器セットでは、複数の上記容器を支持することが可能である。よって、本発明によれば、清浄な状態での当該被包装物の容器からの取り出しに便利な密閉容器セットを提供することが可能となる。
【図面の簡単な説明】
【００１２】
【図１】図１Ａは、開封前の従来の密閉容器の構造を模式的に示す斜視図であり、図１Ｂは、開封後の従来の密閉容器の構造を模式的に示す斜視図である。
【図２】本発明の第１の実施の形態に係る密閉容器セットの斜視図である。
【図３】図３Ａは、第１の実施の形態に係る密閉容器セットの平面図であり、図３Ｂは、当該密閉容器セットの、図３Ａ中のＢ−Ｂ線に沿っての断面図である。
【図４】図４Ａは、第１の実施の形態に係る密閉容器の斜視図であり、図４Ｂは、図３Ｂ中のＣ部を拡大して示す図である。
【図５】図５Ａは、第１の実施の形態におけるフィルムの平面図であり、図５Ｂは、当該フィルムの一部を拡大して示す図である。
【図６】本発明の第２の実施の形態に係る密閉容器の斜視図である。
【図７】図７Ａは、第２の実施の形態におけるフィルムの平面図であり、図７Ｂは、当該フィルムの正面図である。
【図８】本発明に係る密閉容器の一変形例の要部を拡大して示す図である。
【図９】図９Ａは、係止部の一変形例を示す図であり、図９Ｂは、当該係止部を係止する支持枠の一変形例の要部拡大平面図であり、図９Ｃは、当該支持枠の一変形例の要部拡大側面図である。
【発明を実施するための形態】
【００１３】
以下、本発明の実施の形態について、図面を参照して詳細に説明する。
【００１４】
［実施の形態１］
（構成）
図２は、本発明の第１の実施の形態に係る密閉容器セット１００の斜視図である。図３Ａは、密閉容器セット１００の平面図であり、図３Ｂは、密閉容器セット１００の、図３Ａ中のＢ−Ｂ線に沿っての断面図である。密閉容器セット１００は、密閉容器２００と支持枠３００とを含む。
【００１５】
図４Ａは、密閉容器２００の斜視図であり、図４Ｂは、図３Ｂ中のＣ部を拡大して示す図である。密閉容器２００は、複室容器２１０およびフィルム２２０を有する。フィルム２２０は、複室容器２１０の開口部２１１側端面に接着されている（図３Ｂ、図４Ａ）。フィルム２２０は、容器２１００を密閉可能な範囲において、当該端面の全体と接着していてもよいし、一部と接着していてもよい。
【００１６】
複室容器２１０は、Ｘ方向に一列に並列する八つの容器２１００を含む（図４Ａ）。容器２１００は、開口部２１１を有する。複室容器２１０では、開口部２１１がＸ方向に一列に配列するように容器２１００が並んでいる。
【００１７】
容器２１００は、Ｘ方向に直交するＺ方向を深さ方向とする細長な有底の容器である。容器２１００は、いずれもマイクロピペット用のチップ２３０を収容している。チップ２３０は、例えばエンドトキシンフリーの清浄な状態で容器２１００のそれぞれに収容されている。
【００１８】
開口部２１１の形状は、容器２１００に収容される被収容物の形状に応じて設定することができ、例えば、上記被収容物がチップ２３０であれば、チップ２３０の最大径部分が通過可能な形状であればよく、円形でもよい。複室容器２１０は、開口部２１１の周囲に、Ｚ方向におけるフィルム２２０側に突出する突条２１２をさらに有する（図４Ｂ）。平面視における突条２１２の形状（ＸＹ平面に投影した突条２１２の形状）は、開口部２１１の形状と同じく、円環状である。突条２１２のＺ方向における突出長さ（図４Ｂ中のｈ）は、例えば０．５ｍｍである。
【００１９】
複室容器２１０は、Ｘ方向に隣り合う容器２１００を連結する破断可能な薄肉部２４０をさらに有している（図４Ｂ）。薄肉部２４０は、隣接する容器２１００の外周壁間の部分であり、Ｚ方向における薄肉部２４０の長さは５．０ｍｍであり、Ｘ方向およびＺ方向に直交するＹ方向における薄肉部２４０の長さ（幅）は０．５ｍｍであり、Ｘ方向における薄肉部２４０の長さ（厚さ）は０．５ｍｍである。
【００２０】
複室容器２１０は、複室容器２１０の両端に配置された係止部２５０をさらに有している（図４Ａ）。係止部２５０は、複室容器２１０の端からＸ方向に沿ってさらに外側へ突出する突出部２５１と、突出部２５１からＺ方向に沿ってフィルム２２０とは反対側に延出する棒２５２と、を有する。
【００２１】
複室容器２１０は、例えば、樹脂の射出成形によって得られる。樹脂の種類の例には、ポリオレフィン系樹脂、ポリアミド系樹脂、ポリスチレン系樹脂、ポリメタクリル酸メチル樹脂、ポリカーボネートおよびシクロオレフィンコポリマー樹脂が含まれる。ポリオレフィン系樹脂の例には、ホモポリプロピレン、ランダムポリプロピレン、ブロックポリプロピレンなどのポリプロピレン系樹脂；および、高密度ポリエチレン、低密度ポリエチレンなどのポリエチレン系樹脂；が含まれる。ポリアミド系樹脂の例には、ナイロンが含まれる。ポリスチレン系樹脂の例には、強化用のゴム成分が配合されていてもよいポリスチレンが含まれる。
【００２２】
図５Ａは、フィルム２２０の平面図であり、図５Ｂは、フィルム２２０の一部を拡大して示す図である。
【００２３】
フィルム２２０は、Ｘ方向に一列に配列する八つの蓋部２２１と、Ｘ方向における両端の蓋部２２１からＸ方向に延出する第１タブ２２２と、それぞれの蓋部２２１からＹ方向に延出する第２タブ２２３と、Ｘ方向に隣り合う蓋部２２１の境界線である破断線２２４と、を有する。
【００２４】
蓋部２２１のそれぞれは、フィルム２２０が複室容器２１０に接着されたときに開口部２１１のそれぞれを塞ぐように、フィルム２２０の一部が破断線２２４によって区切られることによって形成されている。
【００２５】
蓋部２２１は、図４Ｂに示されるように、複室容器２１０における開口部２１１の周縁部に接着し、開口部２１１を密閉する。蓋部２２１は、突条２１２を覆うように、突条２１２の表面の全体に接着している。蓋部２２１が突条２１２の表面の全体と接着していることは、複室容器２１０に対して蓋部２２１（フィルム２２０）を十分な強度で接着させる観点から好ましいが、容器２１００を密閉するとともに十分な接着強度が得られる範囲において、蓋部２２１は、突条２１２の表面の一部と接着していてもよい。
【００２６】
第１タブ２２２は、Ｚ方向において突出部２５１と重なる位置に配置されるが、突出部２５１とは接着していない。すなわち、第１タブ２２２は、Ｘ方向の端の開口部２１１のさらに外側に延出する第１の自由端である。たとえば、第１タブ２２２の平面形状は、矩形であり、第１タブ２２２のＸ方向における長さは、８．０ｍｍであり、第１タブ２２２のＹ方向における長さ（幅）は、８．０ｍｍである。
【００２７】
第２タブ２２３は、複室容器２１０の開口部２１１側端面からＹ方向のさらに外側に配置されている。第２タブ２２３は、Ｚ方向において複室容器２１０とは重なっておらず、複室容器２１０には接着していない。すなわち、第２タブ２２３は、それぞれの開口部２１１よりもＹ方向のさらに外側に延出する第２の自由端である。たとえば、第２タブ２２３の平面形状は、矩形であり、第２タブ２２３のＹ方向における長さは、８．０ｍｍであり、第２タブ２２３のＸ方向における長さ（幅）は、８．０ｍｍである。
【００２８】
破断線２２４は、図４Ｂに示されるように、Ｘ方向における隣り合う開口部２１１間に位置する。破断線２２４は、Ｘ方向を横切る方向に沿って形成されており、例えば本実施の形態では、Ｙ方向に沿って形成されている。破断線２２４は、第２タブ２２３を引っ張ったときに、Ｙ方向に沿ってフィルム２２０を破断するための線である。すなわち、破断線２２４が延出する方向は、第２タブ２２３が延出する方向と同じである。
【００２９】
破断線２２４は、スリット２２５と非貫通部２２６とを含む。スリット２２５は、Ｘ方向を横切る方向（本実施形態ではＹ方向）に沿って形成されており、フィルム２２０を貫通している。非貫通部２２６は、Ｙ方向においてスリット２２５に隣接する。非貫通部２２６は、フィルム２２０を貫通しない部分であり、フィルム２２０がＸ方向に連続する部分である。
【００３０】
破断線２２４のＹ方向における両端部および中央部の三箇所は、スリット２２５によって構成され、破断線２２４におけるスリット２２５間は、二つの非貫通部２２６によって構成されている。このように、破断線２２４の第２タブ２２３側の端は、スリット２２５で構成されている。Ｙ方向におけるそれぞれの非貫通部２２６の長さは、例えば０．５ｍｍである。
【００３１】
フィルム２２０は、例えば、樹脂製のフィルムの裁断によって得られる。当該樹脂の種類の例には、ポリエステル樹脂、ポリオレフィン樹脂、ポリアミド系樹脂、ポリカーボネート、エチレン共重合体およびこれらの組み合わせが含まれる。ポリエステル樹脂の例には、ポリエチレンテレフタレートおよびポリエチレンナフタレートが含まれる。ポリオレフィン系樹脂の例には、高密度ポリプロピレン、低密度ポリエチレン、直鎖状低密度エチレン−α−オレフィン共重合体、ホモポリプロピレン、および、エチレンおよびプロピレンをモノマーとしたランダム共重合ポリプロピレンが含まれる。エチレン共重合体は、エチレンと、（メタ）アクリル酸アルキルエステルまたはビニルエステルとの共重合体である。フィルム２２０は、金属箔と樹脂製フィルムとの積層体のように、フィルム２２０として適切に機能する範囲において、樹脂以外の材料を含んでいてもよい。
【００３２】
複室容器２１０の開口部２１１側端面へのフィルム２２０の接着は、例えば熱融着によって行うことができる。フィルム２２０の熱融着時に、例えばシリコーンゴム製の弾性体でフィルム２２０を複室容器２１０に向けて適度な力で押圧することによって、突条２１２の周壁面にも密着するように、フィルム２２０を複室容器２１０に接着することができる。
【００３３】
支持枠３００は、図２、図３Ａおよび図３Ｂに示されるように、Ｚ方向から見た形状が矩形である枠である。支持枠３００は、Ｙ方向に沿う一対の長辺部のそれぞれのＺ方向における一端面に、１２個の穴３１０を有している。穴３１０は、棒２５２を収容する寸法を有する。支持枠３００の材料は、特に限定されない。支持枠３００は、例えば、樹脂の成形によって得ることができる。当該樹脂の種類の例には、ポリオレフィン系樹脂、ポリアミド系樹脂、ポリスチレン系樹脂、ポリメタクリル酸メチル樹脂、ポリカーボネートおよびシクロオレフィンコポリマー樹脂が含まれる。
【００３４】
（作用）
第１タブ２２２をＸ方向に沿って引っ張ると、フィルム２２０は、非貫通部２２６でＸ方向に連続しているので、複室容器２１０の端面から破断することなく剥がれる。よって、密閉容器２００の八つの開口部２１１全てが完全に開放される。
【００３５】
第２タブ２２３をＹ方向に沿って引っ張ると、蓋部２２１は、スリット２２５に沿って複室容器２１０の端面から剥がれ、非貫通部２２６は、容易に破断するので、破断線２２４でフィルム２２０が破断する。よって、第２タブ２２３が接続している蓋部２２１のみが複室容器２１０から剥がれ、蓋部２２１に対応する一つの開口部２１１のみが完全に開放される。
【００３６】
また、薄肉部２４０を破断すると、薄肉部２４０の直上に位置する破断線２２４でフィルム２２０が裂けるため、第２タブ２２３を有する一つの蓋部２２１で一つの容器２１００が密封された個別の密閉容器が得られる。
【００３７】
さらに、支持枠３００の一対の上記長辺部に配置された、対向する位置にある一対の穴３１０のそれぞれに、密閉容器２００の両端の係止部２５０の棒２５２のそれぞれを挿入する。当該挿入により、係止部２５０が支持枠３００に脱着可能に係止し、密閉容器２００が、開口部２１１をＺ方向の一方に向けて支持枠３００に支持される。
【００３８】
たとえば、Ｘ方向における開口部２１１の中心間距離を９ｍｍ、支持枠３００のＹ方向における穴３１０の中心間距離を９ｍｍに設定して、支持枠３００の１２対の穴３１０に１２体の密閉容器２００を支持すると、支持枠３００に支持された１２体の密閉容器２００の開口部２１１の位置は、９６穴のマイクロプレートにおけるウエルの配置と同じになる。
【００３９】
チップ２３０は、例えば、以下のように取り出される。まず、ピペッタの先端部を開口部２１１から容器２１００に挿入する。次いで、ピペッタの先端にチップ２３０を容器２１００内で装着し、ピペッタを容器２１００から引き抜く。こうして、マイクロピペットが構成される。
【００４０】
フィルム２２０は開口部２１１から完全に除去されているので、チップ２３０は、容器２１００から引き出されるときにフィルム２２０に触れることがない。また、チップ２３０は、使用可能な状態で容器２１００から取り出される。よって、チップ２３０の装着による汚染が生じない。こうして、チップ２３０は、エンドトキシンフリーの清浄な状態なまま、容器２１００から取り出され、使用される。
【００４１】
密閉容器２００は、支持枠３００に支持されていることから、８連の容器２１００の全てを開放し、８連のピペッタを挿入すると、８連のピペッタの先端の全てに、上記のようにチップ２３０が装着される。
【００４２】
（効果）
密閉容器セット１００は、前述したように、密閉容器２００と支持枠３００とを含む。よって、容器２１０の開口部２１１を上方に向けて密閉容器２００を取り扱うことが可能なので、清浄な状態でのチップ２３０の容器２１００からの取り出しに便利である。
【００４３】
密閉容器２００は、前述したように、複室容器２１０と、複室容器２１０に接着して複室容器２１０の全ての開口部２１１を密閉する一枚のフィルム２２０と、を有する。そして、複室容器２１０における個々の容器２１００は、いずれもチップ２３０を収容しており、フィルム２２０は、複室容器２１０の端の開口部２１０よりもＸ方向のさらに外側に延出する第１タブ２２２と、開口部２１１のそれぞれよりもＹ方向のさらに外側に延出する複数の第２タブ２２３と、Ｘ方向における隣り合う開口部２１１間に配置され、Ｙ方向に沿ってフィルム２２０を破断するための破断線２２４と、を有する。よって、第１タブ２２２または第２タブ２２３をＸ方向またはＹ方向に引っ張ることによって、八つの容器２１００または一つの容器２１００を完全に開放することができる。よって、密閉容器２００によれば、清浄な状態で容器２１００に収容されたチップ２３０を、清浄な状態で容器２１００から取り出すことができる。
【００４４】
また、密閉容器２００によれば、容器２１００は、複室容器２１０からの蓋部２２１の完全な剥離によって開封されることから、フィルム２２０が容器２１００の開口部２１１上で破り取られることがない。このため、密閉容器２００によれば、フィルム２２０の外面に付着している汚染原が容器２１００の内部に入ることでチップ２３０や容器２１００内部が汚染される可能性を大幅に低減させることができる。
【００４５】
なお、容器２１００の内部は、チップ２３０を取り出した後においても清浄である。よって、チップ２３０が取り出された後の容器２１００は、清浄な容器として、または清浄な器具として使用することができる。
【００４６】
また、複室容器２１０が隣り合う容器２１００を連結する破断可能な薄肉部２４０をさらに有することは、８連の密閉容器を個別に利用可能にする観点からより一層効果的である。
【００４７】
また、破断線２２４が、Ｙ方向に沿って形成された、フィルム２２０を貫通するスリット２２５と、Ｙ方向においてスリット２２５に隣接する非貫通部２２６と、を含むことは、第１タブ２２２を引っ張ったときの全部の蓋部２２１の連結と、第２タブ２２３を引っ張ったときの一つの蓋部２２１の切断とを確実に行う観点からより一層効果的である。
【００４８】
さらに、破断線２２４における第２タブ２２３側の端がスリット２２５で構成されていることは、第２タブ２２３を引っ張ったときの一つの蓋部２２１の切断を確実に行う観点から、より一層効果的である。
【００４９】
また、複室容器２１０が、複室容器２１０両端に配置された、支持枠３００に係止するための係止部２５０をさらに有することは、清浄な状態でのチップ２３０の容器２１００からの取り出しの利便性を高める観点からより一層効果的である。
【００５０】
また、複室容器２１０がそれぞれの開口部２１１を囲む突条２１２をさらに有し、フィルム２２０が複室容器２１０における開口部２１１側の端面および突条２１２の表面に接着して開口部２１１を密閉していることは、複室容器２１０が突条２１２を有さない場合に比べて、フィルム２２０と複室容器２１０との接着面積が拡がることから、複室容器２１０に対するフィルム２２０の接着強度を高める観点からより一層効果的である。
【００５１】
また、第２タブ２２３が延出する方向が、破断線２２４が延出する方向と同じであることは、単純な形状で設計し易く、第２タブ２２３の大きさの設計自由度もより高い。
【００５２】
また、フィルム２２０は、非貫通部２２６によってＸ方向に連続し、複室容器２１０の全ての開口部２１１を一枚で密閉する。よって、複室容器２１０の八つの開口部２１１は、一度に塞がれる。よって、このように、一枚のフィルム２２０が八つ全ての開口部２１１を塞ぐ構成は、容器２１００を個別にフィルムで塞ぐ場合に比べて、密閉容器２００の生産性をより高めることができ、また、密閉容器２００の生産過程における汚染の危険性を大幅に低減することができる。上記構成は、これらの観点からも有利である。
【００５３】
なお、本実施の形態では、第２タブ２２３が延出する方向および破断線２２４が延出する方向がともにＹ方向であるが、これらの方向は、以下の実施形態で示されるように、異なっていてもよい。
【００５４】
［実施の形態２］
本実施の形態に係る密閉容器および密閉容器セットは、フィルム２２０の形状が異なる以外は、密閉容器２００および密閉容器セット１００と同じ構成を有する。以下、実施の形態１と同じ構成には同じ符号を用い、その説明を省略する。
【００５５】
（構成）
図６は、本発明の第２の実施の形態に係る密閉容器４００の斜視図である。密閉容器４００は、複室容器２１０およびフィルム４２０を有する。
【００５６】
図７Ａは、フィルム４２０の平面図であり、図７Ｂは、フィルム４２０の正面図である。
【００５７】
フィルム４２０は、Ｘ方向に一列に配列する八つの蓋部４２１１、４２１２と、Ｘ方向における両端の蓋部４２１１、４２１２からＸ方向のさらに外側に延出する第１タブ４２２１、４２２２と、それぞれの蓋部４２１１、４２１２からＷ方向のさらに外側に延出する第２タブ４２３と、Ｘ方向に隣り合う蓋部４２１１、４２１２の境界線である破断線４２４と、を有する。Ｗ方向は、Ｘ方向を横切る方向であり、例えば本実施の形態では、Ｘ方向に対して斜めの方向である。
【００５８】
蓋部４２１１、４２１２は、Ｙ方向に沿って形成された破断線４２４によって区切られた八つの領域である。蓋部４２１１は、蓋部４２１２以外の七つの蓋部であり、蓋部４２１１のそれぞれは、Ｘ方向の一端に位置する一つの容器２１００を除く七つの容器２１００のそれぞれに対応している。Ｚ方向に沿って見たときの蓋部４２１１の形状は、矩形の一側の二つの角が斜めに切り落とされた形状（六角形）である。蓋部４２１２は、フィルム４２０のＸ方向における一端に位置する蓋部であり、Ｘ方向の一端に位置する容器２１００に対応している。Ｚ方向に沿って見たときの蓋部４２１２の形状は、矩形の一角が斜めに切り落とされた形状（五角形）である。
【００５９】
蓋部４２１１、４２１２のそれぞれは、Ｘ方向に配列している容器２１００の開口部２１１を塞ぐように、フィルム４２０の一部が破断線４２４によって区切られることによって形成されている。破断線４２４は、Ｘ方向における隣り合う開口部２１１間であって、Ｙ方向におけるフィルム４２０の両端間に形成されている（図７Ａ参照）。
【００６０】
Ｘ方向において、蓋部４２１１の第２タブ４２３が接続されている斜辺側を一端、接続されていない側を他端とすると、第１タブ４２２１は、フィルム４２０のＸ方向における一端に位置し、第１タブ４２２１のＺ方向に沿って見たときの形状は、矩形の一角を斜めに切り落としてなる五角形である。第１タブ４２２２は、フィルム４２０のＸ方向における他端に位置し、第１タブ４２２２のＺ方向に沿って見たときの形状は、矩形である。たとえば、第１タブ４２２１、４２２２のＸ方向における長さは、８．０ｍｍであり、第１タブ４２２１、４２２２のＹ方向における長さ（幅）は、８．０ｍｍである。
【００６１】
第２タブ４２３は、複室容器２１０の開口部２１１側端面からＷ方向に沿って外側に突出しており、上記端面には接着していない。第２タブ４２３は、蓋部４２１１、４２１２の、フィルム４２０のＸ方向における一端側の斜辺から、Ｗ方向に向けて延出する矩形の部分である。すなわち、第２タブ４２３は、それぞれの開口部２１１よりも、Ｘ方向に対して斜めの方向であるＷ方向のさらに外側に延出する第２の自由端である。たとえば、第２タブ４２３のＷ方向における長さは、８．０ｍｍであり、第２タブ４２３の幅（Ｗ方向に直交する方向における長さ）は、３．０ｍｍである。
【００６２】
破断線４２４は、Ｘ方向における隣り合う開口部２１１間に位置する。破断線４２４は、スリット４２５と非貫通部４２６とを含む。スリット４２５は、蓋部４２１１、４２１２の第２タブ４２３側の上記斜辺の一端からＹ方向に沿って形成されている。非貫通部４２６は、Ｙ方向においてスリット４２５に隣接する。すなわち、破断線４２４が延出する方向は、第２タブ４２３が延出する方向と異なっている。
【００６３】
このように、破断線４２４は、Ｙ方向における上記斜辺側の一つのスリット４２５と、Ｙ方向における上記斜辺とは反対側の一つの非貫通部４２６とによって構成されている。たとえば、Ｙ方向におけるスリット４２５の長さは、５．０ｍｍであり、Ｙ方向における非貫通部４２６の長さは、１．０ｍｍである。また、非貫通部４２６は、Ｙ方向において、複室容器２１０の開口部２１１側から突出しており、複室容器２１０の当該端面に接していない。
【００６４】
（作用）
第１タブ４２２１または４２２２をＸ方向に沿って引っ張ると、フィルム４２０は、非貫通部４２６でＸ方向に連続しているので、複室容器２１０の端面から破断することなく剥がれる。よって、密閉容器４００の八つの開口部２１１全てが完全に開放される。蓋部４２１２との間に破断線４２４を有さない第１タブ４２２１を引っ張ることが、Ｘ方向における途中の非貫通部４２６でのフィルム４２０の破断を防止する観点からより好ましい。容器２１００を個別に開放する方法、および密閉容器を容器２１００単位で分割する方法は、前述の第１の実施の形態と同様である。
【００６５】
（効果）
本実施の形態に係る密閉容器４００は、破断線４２４が形成される方向は、第２タブ４２３が延出する方向と異なっていることから、Ｙ方向に隣接する複室容器２１０の開口部２１１上を避けて第２タブ４２３を配置させることができる。
【００６６】
また、第２タブ４２３は、Ｗ方向に、すなわち開口部２１１の配列方向であるＸ方向に対して斜めに延出していることから、フィルム４２０によって開口部２１１を確実に塞ぐ観点からより一層効果的である。当該効果は、以下の理由による。
【００６７】
第２タブ４２３は、自由端であることから、例えばフィルム４２０の接着時における意に反するめくれなどによって、蓋部４２１１、４２１２における第２タブ４２３近傍部で複室容器２１０に対するフィルム４２０の接着不良が生じることがある。
【００６８】
一方、密閉容器セット１００において開口部２１１の位置を９６穴のマイクロプレートのウエルの位置に対応させるためには、複室容器２１０の開口部２１１間または開口部２１１から外壁面までの、Ｘ方向およびＹ方向における寸法は、制限される。このため、当該寸法は小さい。したがって、Ｘ方向およびＹ方向における複室容器２１０に対するフィルム４２０の接触面積も小さい。他方、複室容器２１０のフィルム４２０が接着する端面におけるＸ方向およびＹ方向以外の部分（Ｗ方向の部分）の寸法を大きくすると、複室容器２１０に対するフィルム４２０の接触面積をより大きくすることが可能である。
【００６９】
上記接触面積がより大きくなると、前述したフィルム４２０の接着不良の発生がより抑制される。以上より、第２タブ４２３の延出方向がＷ方向であることは、フィルム４２０によって開口部２１１を確実に密閉する観点から、より一層効果的である。
【００７０】
第２タブ４２３をＷ方向またはＹ方向に沿って、例えばＷ方向に引っ張った後にＹ方向に引っ張る。すると、スリット４２５が蓋部４２１１、４２１２の上記斜辺から、フィルム４２０のＹ方向における非貫通部４２６以外の部分まで形成されていることから、対応する蓋部４２１１、４２１２が、非貫通部４２６まで剥がれる。このように、蓋部４２１１、４２１２をスリット４２５の範囲で剥がすことによって、開口部２１１は完全に開放される。そして、非貫通部４２６は、開口部２１１が完全に開放された後に引きちぎられる。したがって、フィルム４２０は、容器２１００を個別に開放する際にフィルム４２０を破断線４２４で確実に破断する観点から、より効果的である。
【００７１】
また、非貫通部４２６は、複室容器２１０とは接着していないため、より容易に破断する。したがって、破断線４２４は、容器２１００を個別に開放する際にフィルム４２０を確実に破断する観点から、より一層効果的である。
【００７２】
なお、密閉容器４００は、第２タブの延出方向が破断線の延出方向と同じであることによる前述の効果以外の、前述した第１の実施の形態の効果をさらに奏する。
【００７３】
［変形例］
さらに、本発明の実施の形態は、本発明の効果が得られる範囲において、さらなる変形例を含んでいてもよい。
【００７４】
たとえば、図８に示されるように、複室容器５１０が前述した突条を有さず、フィルム２２０が複室容器５１０における開口部２１１側の端面、および、容器５１００の内周壁における開口部２１１側の端部、に接着して開口部２１１を密閉していてもよい。容器５１００の内周壁における開口部２１１側の端部に接着されているフィルム２２０の部分のＺ方向における長さ（すなわち、フィルム２２０が接着される上記内周壁の部分の、開口部２１１からのＺ方向における距離である。図８中のｄ）は、例えば０．５〜１．０ｍｍである。たとえば、フィルム２２０の熱融着時に、シリコーンゴム製の弾性体などの耐熱性の弾性体で、フィルム２２０を複室容器５１０に向けて適度な力で押圧することによって、上記のようにフィルム２２０を複室容器５１０に接着することができる。
【００７５】
上記のように、フィルム２２０を容器５１００の内周壁端部に接着することにより、上記突条を有さない複室容器５１０であっても、十分な接着面積で複室容器５１０にフィルム２２０を接着することが可能となる。このように、フィルム２２０が複室容器５１０における開口部２１１側の端面、および、容器５１００の内周壁における開口部２１１側の端部、に接着して開口部２１１を密閉していることは、複室容器５１０に対するフィルム２２０の接着強度を高める観点からより一層効果的である。
【００７６】
なお、突条２１２を有する複室容器２１０において、複室容器２１０の開口部２１１側の端面から突条２１２の表面を経て容器２１００の内周壁の開口部２１１側の端部まで、フィルム２２０を接着してもよい。このようにフィルム２２０を複室容器２１０に接着することは、複室容器５１０に対するフィルム２２０の接着強度を高める観点から、さらに一層効果的である。
【００７７】
また、容器２１００、５１００は、空でもよい。容器２１００、５１００が空であっても、開封した容器２１００、５１００を、エンドトキシンフリーの清浄な容器または器具として、使用することが可能である。
【００７８】
また、図９Ａに示される係止部は、Ｘ方向に突出する四角柱状の突出部５５１で構成されている。また、図９Ｂおよび図９Ｃに示される支持枠６００は、支持枠６００の内壁面の一端部に四角柱状に切り欠かれた凹部６１０を有している。突出部５５１は、凹部６１０に嵌合する。このように、密閉容器の支持枠への係止には、棒が穴に挿入される形態や、凸部が凹部に嵌合する形態などの種々の形態を採用することが可能である。
【００７９】
また、たとえば、本発明の実施の形態では、上記被包装物は、チップ２３０でなくてもよいし、液体でもよい。また、上記支持枠は、有底であってもよいし、蓋をさらに有していてもよい。また、上記第１タブは、Ｘ方向における一端側にのみ配置されていてもよい。また、上記第２タブは、上記蓋部のＹ方向における両端に配置されていてもよく、上記蓋部のＹ方向における一端と他端とに交互に配置されていてもよい。また、上記破断線の形状は、直線でもよいし、曲線部を含む非直線であってもよい。
【産業上の利用可能性】
【００８０】
本発明に係る密閉容器は、清浄な状態で容器に収容された被包装物を清浄な状態のまま容器から取り出すことができる。本発明に係る密閉容器および密閉容器セットは、例えば、医療に係る検査、実験および医薬の調製などの、エンドトキシンによる汚染が許されない技術分野に適用され、当該技術分野のさらなる発展に寄与することが期待される。
【符号の説明】
【００８１】
１０、２００、４００  密閉容器
１１、６１０  凹部
１２  つば部
１４、２２０、４２０  フィルム
１５  摘まみ
１００  密閉容器セット
２１０、５１０  複室容器
２１１  開口部
２１２  突条
２２１、４２１１、４２１２  蓋部
２２２、４２２１、４２２２  第１タブ
２２３、４２３  第２タブ
２２４、４２４  破断線
２２５、４２５  スリット
２２６、４２６  非貫通部
２３０  チップ
２５０  係止部
２４０  薄肉部
２５１、５５１  突出部
２５２  棒
３００、６００  支持枠
３１０  穴
２１００、５１００  容器
【図１】
2015098342.tif 000003
【図２】
2015098342.tif 000004
【図３】
2015098342.tif 000005
【図４】
2015098342.tif 000006
【図５】
2015098342.tif 000007
【図６】
2015098342.tif 000008
【図７】
2015098342.tif 000009
【図８】
2015098342.tif 000010
【図９】
2015098342.tif 000011